(57)【要約】【課題】重量のある家具類を載置したとき、床面の沈み込みを簡単に防止することができる防音床構造の形成方法およびそれにより得られた防音床構造を提供する。【解決手段】床スラブＳの上に緩衝材１１と硬質床材１２とからなる防音床１を設け、該防音床１の床面から床スラブＳに達する樹脂注入孔３を穿設し、該樹脂注入孔３に硬化性樹脂を注入、硬化させて樹脂柱２を形成する防音床構造の形成方法および該方法により得られた防音床構造。上記樹脂注入孔３に床スラブＳに達するパイプ４を挿入するとともに、該パイプ４に上記硬化性樹脂を注入、硬化させることが好ましい。【選択図】図５
2008127817.tif 000002
【特許請求の範囲】
【請求項１】
床スラブの上に緩衝材と硬質床材とからなる防音床を設け、該防音床の床面から床スラブに達する樹脂注入孔を穿設し、該樹脂注入孔に硬化性樹脂を注入、硬化させて樹脂柱を形成する防音床構造の形成方法。
【請求項２】
上記樹脂注入孔に床スラブに達するパイプを挿入するとともに、該パイプに上記硬化性樹脂を注入、硬化させて樹脂柱を形成する請求項１に記載の防音床構造の形成方法。
【請求項３】
床スラブの上に緩衝材と硬質床材とからなる防音床を設け、該防音床の床面から床スラブに達する樹脂注入孔を穿設し、該樹脂注入孔に硬化性樹脂を注入、硬化させて樹脂柱が形成された防音床構造。
【請求項４】
上記床スラブと防音床との間に支柱を介装し、床スラブの上に空間を形成するとともに、該防音床の床面に樹脂注入孔を穿設し、該樹脂注入孔から床スラブに達するパイプを挿通し、上記樹脂注入孔に硬化性樹脂を注入、硬化させて樹脂柱が形成された防音床構造。
【発明の詳細な説明】
【技術分野】
【０００１】
本発明は、コンクリートスラブ等の床スラブ上に防音床材を設けてなる床構造に関する。さらに詳しくは、上記床スラブ上に緩衝材と硬質床材とからなる防音床材を設けてなる防音床構造に関する。
【背景技術】
【０００２】
近年、アパートやマンション等の集合住宅においては、ダニの問題や繊維くずが発生して掃除の手間がかかる等の不都合があるため、カーペットよりも木質系床材等の硬質床材が好まれる傾向にある。しかしながら、上記コンクリートスラブ等の床スラブに、例えば、木質系床材を直貼りした場合、生活騒音や床に物を落としたときの衝撃音の伝達が大きく、階下から騒音に対するクレームが発生し、近隣トラブルの原因ともなる。
【０００３】
そこで、木質系等の比較的硬質な床材の下部に弾力性のある緩衝材を装着し、防音対策をすることが一般的に行われている。この緩衝材を設けた場合、厚みを厚くし、遮音性を向上させようとすると、床自体が柔らかくなり、家具等を載置したとき、その重みにより沈みが大き過ぎて片側に傾いたり、歩行感を損ねるという問題がある。このような問題を解決するために、下記特許文献１には、沈み込みを最小限に抑え、緩衝材の効果も残すようにするとともに、後付けが容易であって、設置場所に応じて弾性力や沈み込み量をきめ細かく調整できるようにした沈み込み防止部材が提案されている。
【特許文献１】特許特第２８３６８３９号公報（第１〜３頁、第６図、第７図、第８図）
【発明の開示】
【発明が解決しようとする課題】
【０００４】
しかしながら、上記特許文献１に記載の技術は、緩衝材の厚みよりも若干薄くかつ硬質な材料からなり、緩衝材内に設けられ、当該箇所に荷重がかかるとき、緩衝材が若干沈んだ後に荷重を受けるように構成されているため、上記特許文献１の第６図、第７図、第８図等に示されているように、複雑な形状を有し、簡単に製造したり、入手できるものとはいえない。
【０００５】
そこで、本発明は上記問題を解決して、緩衝材を介して施工された木質系等、比較的硬質な床材に重量のある家具類を載置したとき、床面の沈み込みを簡単に防止することができる防音床構造の形成方法およびそれにより得られた防音床構造を提供することを、その課題とする。
【課題を解決するための手段】
【０００６】
上記課題を解決するために、本発明においては、つぎのような技術的手段を講じている。すなわち、請求項１に記載の本願第１発明によれば、床スラブの上に緩衝材と硬質床材とからなる防音床を設け、該防音床の床面から床スラブに達する樹脂注入孔を穿設し、該樹脂注入孔に硬化性樹脂を注入、硬化させて樹脂柱を形成する防音床構造の形成方法が提供される。
【０００７】
上記硬質床材としては、とくに限定することなく、ムク床材、化粧合板、ＭＤＦ、ハードボード、パーティクルボード等が化粧されたもの、単板積層材および単板積層材の複合板等各種の硬質床材があげられる。好ましくは、木質系床材が用いられる。また、緩衝材としては、硬質発泡ウレタン、硬質発泡ポリエチレン等の合成樹脂系、天然ゴム、合成ゴム等のゴム系、フェルト系防音材、コルク等、一般的に用いられているものをあげることができる。
【０００８】
また、樹脂注入孔に注入される硬化性樹脂としては、空気中の水分または酸素により硬化する一液性のウレタン樹脂、エポキシ樹脂等、あるいは硬化剤と混合することにより硬化する二液性のウレタン樹脂、エポキシ樹脂等をあげることができる。
【０００９】
請求項２に記載の防音床構造の形成方法は、請求項１に記載の発明に加えて、上記樹脂注入孔に床スラブに達するパイプを挿入するとともに、該パイプに硬化性樹脂を注入して硬化させる。パイプとしては、とくに限定されず、紙製、プラスチック製等材質に制限はなく、硬化性樹脂が注入されて硬化するまで破損しないものであればいずれも、使用可能である。
【００１０】
請求項３に記載の本願第２発明によれば、床スラブの上に緩衝材と硬質床材とからなる防音床を設け、該防音床の床面から床スラブに達する樹脂注入孔を穿設し、該樹脂注入孔に硬化性樹脂を注入、硬化させて樹脂柱が形成された防音床構造が提供される。上記樹脂注入孔の大きさはとくに、限定されるものではないが、直径５〜１０ｍｍのものが好ましく用いられる。また、防音床全体に均等に設けてもよく、また、シアターパネル、壁面収納体等、重量のある家具類が載置される箇所に部分的に設けてもよい。また、樹脂注入孔の設置間隔は、使用状態に合わせて適宜に設定することができる。
【００１１】
請求項４に記載の本願第３発明によれば、上記床スラブと防音床との間に支柱を介装し、床スラブの上に空間を形成するとともに、該防音床の床面に樹脂注入孔を穿設し、該樹脂注入孔から床スラブに達するパイプを挿通し、上記樹脂注入孔に硬化性樹脂を注入、硬化させて樹脂柱が形成された防音床構造が提供される。すなわち、床スラブと防音床との間に空間が形成された二重床において、床面から床スラブに樹脂柱が挿通した防音床構造が提供される。
【発明の効果】
【００１２】
請求項１に記載の第１発明にかかる防音床構造の形成方法は上記のとおりであり、防音床の床面から床スラブに達する樹脂注入孔を穿設するため、上記床面の所望の箇所にドリル等で任意の直径の孔を開ければよく、簡単に樹脂注入孔を穿設することができる。また、上記樹脂注入孔に、通常の状態では液体である一液性または二液性の硬化性樹脂を、上記樹脂注入孔に作業性よく注入することができ、その後放置するだけで硬化するため、手間をかけずに樹脂柱を形成することができる。
【００１３】
請求項２に記載の防音床構造の形成方法は上記のとおりであり、請求項１の防音床構造の形成方法の有する効果に加え、上記樹脂注入孔に床スラブに達するパイプを挿入し、該パイプに硬化性樹脂を注入、硬化させて樹脂柱を形成するため、パイプのシエル（殻）が、液状の樹脂が硬化するまで、漏れたり、外側に沁み出すことなく保持し、しっかりとした円柱状の樹脂柱を形成することができる。
【００１４】
請求項３に記載の第２発明にかかる防音床構造は上記のとおりであり、防音床の床面から床スラブに達する樹脂注入孔を穿設し、該樹脂注入孔に硬化性樹脂を注入、硬化させて樹脂柱が形成されているため、この樹脂柱が重量のある家具類を支えるとともに、床自体が沈み込むことを防止し、防音性を保つことができる。
【００１５】
請求項４に記載の第３発明にかかる防音床構造は上記のとおりであり、上記床スラブと防音床との間に空間が形成された二重床において、床面から床スラブにパイプを挿通し、このパイプ内に樹脂柱が形成されているため、この樹脂柱が重量のある家具類を支えるとともに、床自体が沈み込むことを防止し、床スラブの上に形成された空間にパソコン用の配線やテレビ等への配線を通すことができる。
【発明を実施するための最良の形態】
【００１６】
以下、本願第１発明にかかる防音床構造の形成方法の実施形態について図面を参照して詳細に説明する。図１は、床スラブＳの上に緩衝材１１と硬質床材１２とからなる防音床１を設け、該防音床１の床面から床スラブＳに達する樹脂注入孔３を穿設した状態を示す断面図である。第１発明においては、常温においては液状の、例えばエポキシ樹脂と硬化剤とからなる二液性樹脂を混合して樹脂注入孔３に注入する。常温硬化型であれば数時間で硬化して十分な強度を有する樹脂柱２（第２図参照）を得ることができる。図２は上記のようにして樹脂柱２が形成された本願第２発明にかかる防音床構造Ｆ１を示す断面図である。
【００１７】
図１に示す方法においては、防音床１に直接、樹脂注入孔３を穿つ形態について述べたが、上記樹脂注入孔３にパイプを挿入し、パイプ内に樹脂を注入することもできる。図３は、図１における樹脂注入孔３にパイプ４を挿入した状態を示す断面図である。このとき、パイプ４のシエル（殻）が液状の樹脂を保持するため、漏れたり、沁み出すことなくしっかりとした円柱状の樹脂柱２を形成することができる。
【００１８】
図４は、床スラブＳと防音床１との間に空間Ｖが形成された二重床において、樹脂注入孔３にパイプ４を挿通し、パイプ４に樹脂を注入して得られた本願第３発明にかかる防音床構造Ｆ２を示す断面図である。本実施形態においては、床スラブＳの上にパソコン用の配線やテレビ等への配線が通る空間Ｖを設ける必要があるため、注入された樹脂が漏れ出さないように、樹脂注入孔３からスラブＳに達するパイプ４を挿通することが必要となる。
【００１９】
すなわち、図４に示すように、床スラブＳの上に高さ調節が可能な支柱５を設けて防音床１を支持し、床スラブＳと防音床１との間に上記したパソコン用の配線やテレビ等への配線が通る空間Ｖが設けられる。例えば、大型テレビを組み込んだシアターパネルを設置する場合、支柱５により空間の高さを調節して画面の高さ等の位置を決めてテレビを据え付け、上記防音床構造Ｆ２の上に載置する。
【００２０】
図５は、上記防音床構造Ｆ２の上にシアターパネル６が載置された状態を示す部分断面側面図である。図５に示すように、樹脂柱２がしっかりとシアターパネル６を支持し、緩衝材１１が部分的に凹んでシアターパネル６が前方に傾くことを防ぐ。このとき、予め、上記パイプ４の高さを床面の高さより若干低くして挿通し、防音床１全体の沈み込みを考慮して樹脂柱２の天面を床面より若干低く設け、防音床１全体にクッション性を保ちながら防音性を付与することも可能である。このように、本発明は種々設計変更自在であり、特許請求の範囲を逸脱しない限り、本発明の技術的範囲に属する。
【図面の簡単な説明】
【００２１】
【図１】第１発明にかかる防音床構造の形成方法を説明する断面図である。
【図２】第２発明にかかる防音床構造を示す断面図である。
【図３】図１において樹脂注入孔にパイプを挿入した状態を示す断面図である。
【図４】第３発明にかかる二重床の防音床構造を示す断面図である。
【図５】第３発明にかかる二重床の防音床構造の上にシアターパネルを載置した状態を示す部分断面側面図である。
【符号の説明】
【００２２】
Ｆ１        第２発明にかかる防音床構造
Ｆ２        第３発明にかかる二重床の防音床構造
１          防音床
１１        緩衝材
１２        硬質床材
２          樹脂柱
３          樹脂注入孔
４          パイプ
５          支柱
６          シアターパネル
Ｓ          床スラブ
Ｖ          空間
【図１】
2008127817.tif 000003
【図２】
2008127817.tif 000004
【図３】
2008127817.tif 000005
【図４】
2008127817.tif 000006
【図５】
2008127817.tif 000007